(57)【要約】【課題】外装材の幅の相違に対応してビス位置を変更可能な取付金具を提供する。【解決手段】外装材２を側部で支持して住宅の壁体（１）に取り付けるための金具１０であって、壁体（１）にビスＶ止めするためのビス穴を横方向に位置を異ならせて複数個（１２・１３・１４）備える。そして、外装材２の側部端面に形成した溝（２ａ）に差し込まれる差し込み片１５を備える。この外装材取付金具１０は、壁体（１）に取り付けた胴縁（３）にビスＶ止めされる。従って、外装材２の側部端面に形成した溝（２ａ）に差し込み片１５を差し込んで、外装材２の側部に取付金具１０を装着できる。そして、壁体（１）に取り付けた胴縁（３）に対し、横方向に位置を異ならせて複数個備えられたビス穴１２・１３・１４のうち外装材２に対応する所定のビス穴において取付金具１０をビスＶ止めして、外装材２を壁体（１）に取り付けできる。【選択図】図６
2008163718.tif 000002
【特許請求の範囲】
【請求項１】
外装材を側部で支持して住宅の壁体に取り付けるための金具であって、
前記壁体にビス止めするためのビス穴を横方向に位置を異ならせて複数個備えることを特徴とする外装材取付金具。
【請求項２】
前記外装材の側部端面に形成した溝に差し込まれる差し込み片を備えることを特徴とする請求項１に記載の外装材取付金具。
【請求項３】
前記壁体に取り付けた胴縁にビス止めされることを特徴とする請求項１または２に記載の外装材取付金具。
【請求項４】
請求項３に記載の外装材取付金具を用いて、外装材の側部を住宅の壁体に取り付けることで構築される外壁構造であって、
前記外装材の側部端面に形成した溝に前記差し込み片が差し込まれて、
前記壁体に取り付けた胴縁に対し、前記横方向に位置を異ならせて複数個備えられた前記ビス穴のうち前記外装材に対応する所定のビス穴において前記外装材取付金具がビス止めされていることを特徴とする外壁構造。
【請求項５】
請求項３に記載の外装材取付金具を用いて、外装材の側部を住宅の壁体に取り付ける方法であって、
前記外装材の側部端面に形成した溝に前記差し込み片を差し込み、
前記壁体に取り付けた胴縁に対し、前記横方向に位置を異ならせて複数個備えられた前記ビス穴のうち前記外装材に対応する所定のビス穴において前記外装材取付金具をビス止めすることを特徴とする外装材取付方法。
【発明の詳細な説明】
【技術分野】
【０００１】
本発明は、住宅の壁体に外装材の側部を取り付けるための金具と、その外装材取付金具を用いて構築する外壁構造と、その外装材の取付方法に関する。
【背景技術】
【０００２】
住宅の壁体に外装材を取り付けるための金具として、外装材の側部と壁体との間に介設するものがあり、従来の外装材の側部を取り付ける金具は単独のビス穴で壁体にビス止めする構造であった（例えば特許文献１、２参照）。
【特許文献１】特開２０００−３０３６５３号公報
【特許文献２】特開２０００−３０３６５４号公報
【発明の開示】
【発明が解決しようとする課題】
【０００３】
しかし、外装材は各種幅のものがあり、幅の相違により外装材の側部の取付位置が横方向に異なる。特に、外壁の出隅部において、ビス穴の横方向位置が異なる取付金具を使用すると、隣に取り付ける次の外装材がビスの頭に干渉して納まらない問題が生じるのを回避するため、外装材の幅の相違に応じた取付金具を各種用意する必要があった。
【０００４】
本発明の課題は、外装材の幅の相違に対応してビス位置を変更可能な取付金具を提供し、併せて、その外装材取付金具を用いて構築する外壁構造を提供するとともに、外装材の取付方法も提供することである。
【課題を解決するための手段】
【０００５】
以上の課題を解決するため、請求項１に記載の発明は、例えば図１、図２、図５、図６に示すように、外装材２を側部で支持して住宅の壁体１に取り付けるための金具１０であって、前記壁体１にビスＶ止めするためのビス穴を横方向に位置を異ならせて複数個（１２・１３・１４）備えることを特徴とする。
【０００６】
請求項１に記載の発明によれば、壁体１に対し、横方向に位置を異ならせて複数個備えられたビス穴１２・１３・１４のうち外装材２に対応する所定のビス穴において取付金具１０をビスＶ止めするため、共通の取付金具１０を用いることができ、コストを低減できる。
【０００７】
請求項２に記載の発明は、請求項１に記載の外装材取付金具１０であって、例えば図１、図２、図５、図６に示すように、前記外装材２の側部端面に形成した溝２ａに差し込まれる差し込み片１５を備えることを特徴とする。
【０００８】
請求項２に記載の発明によれば、外装材２の側部端面に形成した溝２ａに差し込み片１５を差し込んで、外装材２の側部に取付金具１０を装着できる。
【０００９】
請求項３に記載の発明は、請求項１または２に記載の外装材取付金具１０であって、例えば図１、図２に示すように、前記壁体１に取り付けた胴縁３にビスＶ止めされることを特徴とする。
【００１０】
請求項３に記載の発明によれば、壁体１に取り付けた胴縁３に対し、横方向に位置を異ならせて複数個備えられたビス穴１２・１３・１４のうち外装材２に対応する所定のビス穴において取付金具１０をビスＶ止めできる。
【００１１】
請求項４に記載の発明は、例えば図１、図２、図５、図６に示すように、請求項３に記載の外装材取付金具１０を用いて、外装材２の側部を住宅の壁体１に取り付けることで構築される外壁構造であって、前記外装材２の側部端面に形成した溝２ａに前記差し込み片１５が差し込まれて、前記壁体１に取り付けた胴縁３に対し、前記横方向に位置を異ならせて複数個備えられた前記ビス穴１２・１３・１４のうち前記外装材２に対応する所定のビス穴において前記外装材取付金具１０がビスＶ止めされていることを特徴とする。
【００１２】
請求項４に記載の発明によれば、外装材２の側部端面に形成した溝２ａに差し込み片１５が差し込まれた状態で、外装材２の側部に取付金具１０を装着できる。そして、壁体１に取り付けた胴縁３に対し、横方向に位置を異ならせて複数個備えられたビス穴１２・１３・１４のうち外装材２に対応する所定のビス穴において取付金具１０がビスＶ止めされた状態で、外装材２が壁体１に取り付けられた状態の外壁を構築できる。
【００１３】
請求項５に記載の発明は、例えば図１、図２、図５、図６に示すように、請求項３に記載の外装材取付金具１０を用いて、外装材２の側部を住宅の壁体１に取り付ける方法であって、前記外装材２の側部端面に形成した溝２ａに前記差し込み片１５を差し込み、前記壁体１に取り付けた胴縁３に対し、前記横方向に位置を異ならせて複数個備えられた前記ビス穴１２・１３・１４のうち前記外装材２に対応する所定のビス穴において前記外装材取付金具１０をビスＶ止めすることを特徴とする。
【００１４】
請求項５に記載の発明によれば、外装材２の側部端面に形成した溝２ａに差し込み片１５を差し込んで、外装材２の側部に取付金具１０を装着できる。そして、壁体１に取り付けた胴縁３に対し、横方向に位置を異ならせて複数個備えられたビス穴１２・１３・１４のうち外装材２に対応する所定のビス穴において取付金具１０をビスＶ止めして、外装材２を壁体１に取り付けできる。
【発明の効果】
【００１５】
本発明によれば、共通の取付金具で外装材の幅の相違に対応してビス位置を変更でき、外装材の幅の相違に応じた取付金具を各種用意する必要がなく、コストを低減できる。
【発明を実施するための最良の形態】
【００１６】
以下、図を参照して本発明を実施するための最良の形態を詳細に説明する。
〔第１実施形態〕
図１は本発明を適用した一実施形態の構成を示すもので、図示例では、木質の壁体１の出隅部（木口部）において、左側の外装材２の側部の取り付けに胴縁３と本発明を適用した取付金具１０及びビスＶを用いている（図２も参照）。
【００１７】
なお、図１の右側の外装材４の側部は壁体１に胴縁５を介装して釘Ｎを打ち込んで取り付けている（図４も参照）。
そして、図１の左側のサネ出隅６は、その図示左側の取り付けに前記胴縁３を共用して他の取付金具２０及び釘Ｎを用い（図２も参照）、図示下側の取り付けに別の取付金具３０を用いている（図３も参照）。
また、図１の右側の下出隅７は、その図示下側の取り付けに前記取付金具３０を共用し（図３も参照）、図示右側の取り付けに前記胴縁５を共用して前記取付金具２０とビスＶ及び釘Ｎを用いている（図４も参照）。
【００１８】
図５は本発明を適用した取付金具１０を示すものである。取付金具１０は、図示のように、平板１１に補強板１６を接合一体化したもので、平板１１には、横方向に位置を異ならせた三個のビス穴１２・１３・１４が形成されている。具体的には、平板１１の右側の上下方向の中央位置に一個のビス穴１２が形成されて、その上下に離間して右側寄りに二個のビス穴１３が形成され、さらに、その上下に離間して右側寄りに二個のビス穴１４が形成されている。
【００１９】
そして、平板１１の左側には、打ち抜きプレス成形による差し込み片１５が形成されている。この差し込み片１５は、ビス穴１２・１３・１４とは反対方向に延びて、図１に示されるように、外装材２の側部端面に形成した溝２ａに差し込むためのものである。
なお、補強板１６は平板１１に対し差し込み片１５の右側に接合されている。この補強板１６には、ビス穴１２が貫通して形成されるとともに、ビス穴１３・１４を避ける切欠が形成される一方、差し込み片１５の上下端に対し直角方向に位置する補強リブ１７が形成されている。
【００２０】
図６は取付金具１０の外装材２に対応したビス止め位置の相違を示したものである。
すなわち、図６（ａ）は、外装材２の幅に対応してその側部端面の溝２ａに差し込み片１５を差し込んだ取付金具１０を、中央部一個のビス穴１２でビスＶをねじ込んで固定した状態を示している。図６（ｂ）は、外装材２の幅に対応してその側部端面の溝２ａに差し込み片１５を差し込んだ取付金具１０を、中間部二個のビス穴１３でビスＶをそれぞれねじ込んで固定した状態を示している。図６（ｃ）は、外装材２の幅に対応してその側部端面の溝２ａに差し込み片１５を差し込んだ取付金具１０を、上下端部二個のビス穴１４でビスＶをそれぞれねじ込んで固定した状態を示している。
【００２１】
図７は別の取付金具２０を示すものである。取付金具２０は、図示のように、平板２１の左側の上下方向の中央位置に一個のビス穴２２が形成されて、その右側に打ち抜きプレス成形による差し込み片２３が形成されている。この差し込み片２３は、ビス穴２２とは反対方向に延びて、図１に示されるように、サネ出隅６及び下出隅７の側部端面に各々形成した溝６ａ・７ａにそれぞれ差し込むためのものである。
【００２２】
図８はさらに別の取付金具３０を示すものである。取付金具３０は、図示のように、平板３１の上下辺にプレス成形による外装材受け部３２が形成されて、平板３１の右側の上下方向の中央位置に一個のビス穴３３が形成されている。そして、平板３１の右側に打ち抜きプレス成形による差し込み片３４・３５が形成されている。差し込み片３４は、ビス穴３３とは反対方向に延びて、図１に示されるように、サネ出隅６の側部端面に形成した溝６ｂに差し込むためのものであり、差し込み片３５は、ビス穴３３と同じ方向に延びて、図１に示されるように、下出隅７の側部端面に形成した薄肉部７ｂに重ねるためのものである。
【００２３】
次に、図１において、左側の外装材２の取り付けについて説明する。
なお、壁体１には予め胴縁３が図略の釘により打ち付けられている。
まず、外装材２の側部端面に上下等間隔等に形成した溝２ａに、取付金具１０の差し込み片１５をそれぞれ差し込んでから、各々の取付金具１０を胴縁３に当てて、ビス穴１２・１３・１４のうち外装材２の幅に対応したビス穴において、ビスＶを胴縁３から壁体１にそれぞれねじ込む。
そして、サネ出隅６の左側部端面に上下等間隔等に形成した溝６ａに、取付金具２０の差し込み片２３をそれぞれ差し込んでから、図２に示すように、取付金具１０の上下間において、各々の取付金具２０を胴縁３に当てて、ビス穴２２でビスＶを胴縁３から壁体１にそれぞれねじ込む。その後、サネ出隅６の上下端寄りにおいて、釘Ｎを壁体１までそれぞれ打ち込む。
【００２４】
また、サネ出隅６の左側部端面に上下等間隔等に形成した溝６ｂに、取付金具３０の差し込み片３４をそれぞれ差し込んでから、各々の取付金具３０を壁体１に当てて、ビス穴３３でビスＶを壁体１までそれぞれねじ込む。
そして、取付金具３０の差し込み片３５の内側に、下出隅７の左側部端面に形成した薄肉部７ｂを差し込んで重ねる。さらに、下出隅７の右側部端面に上下等間隔等に形成した溝７ａに、取付金具２０の差し込み片２３をそれぞれ差し込んでから、図４に示すように、各々の取付金具２０を胴縁５に当てて、ビス穴２２でビスＶを胴縁５から壁体１にそれぞれねじ込む。
【００２５】
以上のように、外装材２とサネ出隅６の取り合いは、外装材２の側部を指示する取付金具１０を胴縁３を介して壁体１に固定するビスＶの頭が、サネ出隅６の側部と当たることがなく、共通の取付金具１０で外装材２の幅の相違に対応してビスＶの位置を変更できるものとなっている。
従って、外装材２の幅の相違に応じた取付金具を各種用意する必要がなく、共通の取付金具１０で対応できるため、コストの低減を達成できるものとなる。
【００２６】
そして、実施形態では、他の取付金具２０・３０を用いることで、サネ出隅６と下出隅７の取り合い、外装材４と下出隅７の取り合いについてもまとまりよく納めることができるものとなっている。
【００２７】
なお、以上の実施形態においては、木口部による出隅部としたが、本発明はこれに限定されるものではなく、他の出隅部や入隅部や一般部であっても良い。
また、実施形態では、取付金具に三種類のビス穴を設けたが、少なくとも二種類のビス穴を設けるだけでも良く、四種類以上のビス穴を設けても良い。
さらに、壁体の構造や形状、取付金具の形状等も任意であり、その他、具体的な細部構造等についても適宜に変更可能であることは勿論である。
【図面の簡単な説明】
【００２８】
【図１】本発明を適用した一実施形態の構成を示すもので、出隅部の横断平面図である。
【図２】図１の左側の外装材と取付金具等の関係を示す概略側面図である。
【図３】図１の手前側の外装材及び取付金具の関係を示す概略正面図である。
【図４】図１の右側の外装材と取付金具等の関係を示す概略側面図である。
【図５】本発明を適用した取付金具を示すもので、正面図（ａ）及び平面図（ｂ）である。
【図６】図５の取付金具の外装材に対応したビス止め位置の相違を示した正面図（ａ）（ｂ）（ｃ）である。
【図７】図２の右側の取付金具を示すもので、正面図（ａ）及び平面図（ｂ）である。
【図８】図３の取付金具を示すもので、正面図（ａ）及び平面図（ｂ）である。
【符号の説明】
【００２９】
１  壁体
２  外装材
２ａ  溝
３  胴縁
１０  取付金具
１１  平板
１２・１３・１４  ビス穴
１５  差し込み片
１６  補強板
１７  補強リブ
Ｖ  ビス
【図１】
2008163718.tif 000003
【図２】
2008163718.tif 000004
【図３】
2008163718.tif 000005
【図４】
2008163718.tif 000006
【図５】
2008163718.tif 000007
【図６】
2008163718.tif 000008
【図７】
2008163718.tif 000009
【図８】
2008163718.tif 000010